(57)【要約】      （修正有）【課題】コスト低減を図ることができる表示制御システムを提供する。【解決手段】複数配列され、計測装置表示手段を搭載しない計測装置３０を有する計測ユニット４０と、計測ユニットのいずれか一つに設けられ、計測ユニットのそれぞれと有線回路網５１によって回線接続され、計測ユニットのそれぞれの運転状態を表示する表示手段と計測ユニットのそれぞれに制御指令を実行する制御手段とを有する表示制御手段５０とを備えた。【選択図】図４
2016012167.tif 000002
【特許請求の範囲】
【請求項１】
複数配列され、計測装置表示手段を搭載しない計測装置を有する計測ユニットと、前記計測ユニットのいずれか一つに設けられ、前記計測ユニットのそれぞれと回線接続され、前記計測ユニットのそれぞれの運転状態を表示する表示手段と前記計測ユニットのそれぞれに制御指令を実行する制御手段とを有する表示制御手段とを備えたことを特徴とする表示制御システム。
【請求項２】
前記計測ユニットの前記計測装置は、計測装置制御手段を搭載していることを特徴とする請求項１に記載の表示制御システム。
【請求項３】
前記計測ユニットの前記計測装置は、計測装置制御手段を搭載していないことを特徴とする請求項１に記載の表示制御システム。
【請求項４】
複数配列され、計測装置表示手段を搭載しない計測装置を有する計測ユニットと、前記計測ユニットのいずれか一つに設けられ、前記計測ユニットのそれぞれと回線接続され、前記計測ユニットのそれぞれの運転状態を収集、制御指令を実行する表示制御手段と、前記表示制御手段に搭載された無線通信手段と、前記無線通信手段と無線通信され、端末表示部と端末操作部を有し、前記計測ユニットのそれぞれの運転状態の確認、制御指令を実行する監視制御手段とを備えたことを特徴とする表示制御システム。
【請求項５】
前記計測ユニットの前記計測装置は、計測装置制御手段を搭載していないことを特徴とする請求項４に記載の表示制御システム。
【請求項６】
前記計測ユニットの前記計測装置は、計測装置制御手段を搭載していることを特徴とする請求項４に記載の表示制御システム。
【請求項７】
前記表示制御手段は、プログラマブルロジックコントローラで構成されたことを特徴とする請求項４から請求項６のいずれか１項に記載の表示制御システム。
【請求項８】
複数配列され、計測装置表示手段を搭載しない計測装置を有する計測ユニットと、前記計測ユニットの前記計測装置にそれぞれ設けられた無線通信手段と、前記無線通信手段と無線通信され、端末表示部と端末操作部を有し、前記計測ユニットのそれぞれの運転状態の確認、制御指令を実行する監視制御手段とを備えたことを特徴とする表示制御システム。
【請求項９】
前記計測ユニットの前記計測装置は、計測装置制御手段を搭載していないことを特徴とする請求項８に記載の表示制御システム。
【請求項１０】
前記計測ユニットの前記計測装置は、計測装置制御手段を搭載していることを特徴とする請求項８に記載の表示制御システム。
【請求項１１】
複数配列され、計測装置表示手段を搭載しない計測装置を有する計測ユニットと、前記計測ユニットのいずれか一つに設けられ、前記計測ユニットのそれぞれと回線接続され、前記計測ユニットのそれぞれの運転状態を収集、制御指令を実行する表示制御手段と、前記表示制御手段に搭載された無線通信手段と、前記無線通信手段と回線接続されたネットワーク回線と、前記ネットワーク回線と無線通信され、端末表示部と端末操作部を有し、前記計測ユニットのそれぞれの運転状態の確認、制御指令を実行する監視制御手段とを備えたことを特徴とする表示制御システム。
【請求項１２】
前記計測ユニットの前記計測装置は、計測装置制御手段を搭載していないことを特徴とする請求項１１に記載の表示制御システム。
【請求項１３】
前記計測ユニットの前記計測装置は、計測装置制御手段を搭載していることを特徴とする請求項１１に記載の表示制御システム。
【請求項１４】
前記表示制御手段は、プログラマブルロジックコントローラで構成されたことを特徴とする請求項１１から請求項１３のいずれか１項に記載の表示制御システム。
【請求項１５】
請求項１から請求項１４のいずれか１項に記載の表示制御システムを用いたコントロールセンタ。
【発明の詳細な説明】
【技術分野】
【０００１】
この発明は、例えば電動機等の運転制御を行う計測装置を複数段かつ複数列配置され列盤を電気室に複数配置されたコントロールセンタにおいて、点検対象の計測装置の情報を表示する表示制御システムおよびこれを用いたコントロールセンタに関するものである。
【背景技術】
【０００２】
大規模なコントロールセンタの場合、電気室に配置されるコントロールセンタの列数が多く、計測装置等で構成される計測ユニットが例えば６段程度でユニット化されて1つの
盤となり、そして例えば５列で並んで一つの列盤が構成され、これら列盤が複数配列されている。
【０００３】
電気室にこれら列盤が複数配列されたコントロールセンタにおいて、保守員は毎日、各計測ユニットに配置された各計測装置の計測値や運転状態に異常がないことを順次巡回しながら確認している。
【０００４】
各計測ユニットの計測装置には、ＬＥＤ（Ｌｉｇｈｔ  Ｅｍｉｔｔｉｎｇ  Ｄｉｏｄｅ、発光ダイオード）、ＬＣＤ（Ｌｉｑｕｉｄ  Ｃｒｙｓｔａｌ  Ｄｉｓｐｌａｙ、液晶ディスプレイ）を搭載し計測値や運転状態を表示する計測装置表示部と計測装置操作部とから構成される計測装置表示制御部が設けられている。
【先行技術文献】
【特許文献】
【０００５】
【特許文献１】特開平５−３００６１３号公報
【発明の概要】
【発明が解決しようとする課題】
【０００６】
上述した従来の表示制御システムとしては、特定の計測ユニットを操作、確認する場合には多くの計測ユニットから操作、確認対象となる計測ユニットを探索する必要がある。保守員の移動、探索に時間を要し、保守費用のコスト高の一因となっている。
【０００７】
また、計測ユニットの計測装置には、保守・点検用に計測装置表示部を有しており、盤全体でのコストを考えるとコスト高の要因となっている。さらに、計測装置表示部に使用するＬＥＤやＬＣＤは定期的に交換が必要であり、交換時の保守費用もコスト高となる問題があった。
【０００８】
この発明は、上記のような課題を解決するためになされたものであり、その目的は、低コスト化を図ることができる表示制御システムを提供するものである。
【課題を解決するための手段】
【０００９】
この発明に係わる表示制御システムは、複数配列され、計測装置表示手段を搭載しない計測装置を有する計測ユニットと、前記計測ユニットのいずれか一つに設けられ、前記計測ユニットのそれぞれと回線接続され、前記計測ユニットのそれぞれの運転状態を表示する表示手段と前記計測ユニットのそれぞれに制御指令を実行する制御手段とを有する表示制御手段とを備えたものである。
【００１０】
また、この発明に係わる表示制御システムは、複数配列され、計測装置表示手段を搭載しない計測装置を有する計測ユニットと、前記計測ユニットのいずれか一つに設けられ、
前記計測ユニットのそれぞれと回線接続され、前記計測ユニットのそれぞれの運転状態を収集、制御指令を実行する表示制御手段と、前記表示制御手段に搭載された無線通信手段と、前記無線通信手段と無線通信され、端末表示部と端末操作部を有し、前記計測ユニットのそれぞれの運転状態の確認、制御指令を実行する監視制御手段とを備えたものである。
【００１１】
また、この発明に係わる表示制御システムは、複数配列され、計測装置表示手段を搭載しない計測装置を有する計測ユニットと、前記計測ユニットの前記計測装置にそれぞれ設けられた無線通信手段と、前記無線通信手段と無線通信され、端末表示部と端末操作部を有し、前記計測ユニットのそれぞれの運転状態の確認、制御指令を実行する監視制御手段とを備えたものである。
【００１２】
また、この発明に係わる表示制御システムは、複数配列され、計測装置表示手段を搭載しない計測装置を有する計測ユニットと、前記計測ユニットのいずれか一つに設けられ、前記計測ユニットのそれぞれと回線接続され、前記計測ユニットのそれぞれの運転状態を収集、制御指令を実行する表示制御手段と、前記表示制御手段に搭載された無線通信手段と、前記無線通信手段と回線接続されたネットワーク回線と、ネットワーク回線と無線通信され、端末表示部と端末操作部を有し、前記計測ユニットのそれぞれの運転状態の確認、制御指令を実行する監視制御手段とを備えたものである。
【発明の効果】
【００１３】
この発明に係わる表示制御システムによれば、複数配列された計測ユニットのそれぞれの計測装置に計測装置表示手段を搭載しない構成とし、計測ユニットのいずれか一つに各計測ユニットのそれぞれと回線接続された表示制御手段を備えたことにより、コスト低減を図ることができる表示制御システムを得ることができる。
【００１４】
また、この発明に係わる表示制御システムによれば、複数配列された計測ユニットのそれぞれの計測装置に計測装置表示手段を搭載しない構成とし、計測ユニットのいずれか一つに各計測ユニットのそれぞれと回線接続された表示制御手段と、表示制御手段に搭載された無線通信手段と、無線通信手段と無線通信され、端末表示部と端末操作部を有し、各計測ユニットのそれぞれの運転状態の確認、制御指令を実行する監視制御手段とを備えたことにより、コスト低減を図ることができる表示制御システムを得ることができる。
【００１５】
また、この発明に係わる表示制御システムによれば、複数配列された計測ユニットのそれぞれの計測装置に計測装置表示手段を搭載しない構成とし、計測ユニットの計測装置にそれぞれ設けられた無線通信手段と、無線通信手段と無線通信され、端末表示部と端末操作部を有し、各計測ユニットのそれぞれの運転状態の確認、制御指令を実行する監視制御手段とを備えたことにより、コスト低減を図ることができる表示制御システムを得ることができる。
【００１６】
また、この発明に係わる表示制御システムによれば、複数配列された計測ユニットのそれぞれの計測装置に計測装置表示手段を搭載しない構成とし、計測ユニットのいずれか一つに各計測ユニットのそれぞれと回線接続された表示制御手段と、表示制御手段に搭載された無線通信手段と、無線通信手段と回線接続されたネットワーク回線と、ネットワーク回線と無線通信され、端末表示部と端末操作部を有し、各計測ユニットのそれぞれの運転状態の確認、制御指令を実行する監視制御手段とを備えたことにより、コスト低減を図ることができる表示制御システムを得ることができる。
【図面の簡単な説明】
【００１７】
【図１】この発明の実施の形態１に係わる表示制御システムにおけるコントロールセンタを示す平面図である。
【図２】この発明の実施の形態１に係わる表示制御システムを示す斜視図である。
【図３】この発明の実施の形態１に係わる表示制御システムにおける回線状態を示す要部正面図である。
【図４】この発明の実施の形態1に係わる表示制御システムにおける回線状態を示す斜視図である。
【図５】この発明の実施の形態1に係わる表示制御システムにおける表示制御手段を示す正面図である。
【図６】この発明の実施の形態1に係わる表示制御システムにおける表示制御手段を示す正面図である。
【図７】この発明の実施の形態1に係わる表示制御システムにおける表示制御手段を示す正面図である。
【図８】この発明の実施の形態２に係わる表示制御システムにおける回線状態を示す要部正面図である。
【図９】この発明の実施の形態２に係わる表示制御システムにおける回線状態を示す斜視図である。
【図１０】この発明の実施の形態３に係わる表示制御システムにおける回線状態を示す要部正面図である。
【図１１】この発明の実施の形態３に係わる表示制御システムにおける回線状態を示す斜視図である。
【図１２】この発明の実施の形態３に係わる表示制御システムにおける監視制御手段を示す正面図である。
【図１３】この発明の実施の形態３に係わる表示制御システムにおける監視制御手段を示す正面図である。
【図１４】この発明の実施の形態３に係わる表示制御システムにおける監視制御手段を示す正面図である。
【図１５】この発明の実施の形態４に係わる表示制御システムにおける回線状態を示す要部正面図である。
【図１６】この発明の実施の形態４に係わる表示制御システムにおける回線状態を示す斜視図である。
【図１７】この発明の実施の形態５に係わる表示制御システムにおける回線状態を示す要部正面図である。
【図１８】この発明の実施の形態５に係わる表示制御システムにおける回線状態を示す斜視図である。
【図１９】この発明の実施の形態６に係わる表示制御システムにおける回線状態を示す要部正面図である。
【図２０】この発明の実施の形態６に係わる表示制御システムにおける回線状態を示す斜視図である。
【図２１】この発明の実施の形態７に係わる表示制御システムにおける回線状態を示す要部正面図である。
【図２２】この発明の実施の形態７に係わる表示制御システムにおける回線状態を示す斜視図である。
【図２３】この発明の実施の形態８に係わる表示制御システムにおける回線状態を示す要部正面図である。
【図２４】この発明の実施の形態８に係わる表示制御システムにおける回線状態を示す斜視図である。
【図２５】この発明の実施の形態９に係わる表示制御システムにおける回線状態を示す要部正面図である。
【図２６】この発明の実施の形態９に係わる表示制御システムにおける回線状態を示す斜視図である。
【図２７】この発明の実施の形態１０に係わる表示制御システムにおける回線状態を示す要部正面図である。
【図２８】この発明の実施の形態１０に係わる表示制御システムにおける回線状態を示す斜視図である。
【図２９】この発明の実施の形態１１に係わる表示制御システムにおける回線状態を示す要部正面図である。
【図３０】この発明の実施の形態１１に係わる表示制御システムにおける回線状態を示す斜視図である。
【図３１】この発明の実施の形態１２に係わる表示制御システムにおける回線状態を示す要部正面図である。
【図３２】この発明の実施の形態１２に係わる表示制御システムにおける回線状態を示す斜視図である。
【発明を実施するための形態】
【００１８】
実施の形態１．
以下、この発明の実施の形態１を図１から図７に基づいて説明するが、各図において、同一、または相当部材、部位については同一符号を付して説明する。図１はこの発明の実施の形態１に係わる表示制御システムにおけるコントロールセンタを示す平面図である。図２はこの発明の実施の形態１に係わる表示制御システムを示す斜視図である。図３はこの発明の実施の形態１に係わる表示制御システムにおける回線状態を示す要部正面図である。図４はこの発明の実施の形態1に係わる表示制御システムにおける回線状態を示す斜視図である。図５はこの発明の実施の形態1に係わる表示制御システムにおける表示制御手段を示す正面図である。図６はこの発明の実施の形態1に係わる表示制御システムにおける表示制御手段を示す正面図である。図７はこの発明の実施の形態1に係わる表示制御システムにおける表示制御手段を示す正面図である。
【００１９】
図１は、コントロールセンタ１００が電気室２００に配置された場合を示し、図２は表示制御システムを示している。コントロールセンタ１００は、計測装置表示手段を搭載しない計測装置を有する計測ユニットが例えば６段配置してユニット化されて1つの盤となり、そして例えば５列で並んで一つの列盤が構成され、これら列盤が複数配列されている。すなわち、図は一例として、列盤Ａから列盤Ｍまで配置された場合を示している。電気室２００に配置されたコントロールセンタ１００の点検、保守に際してはドア２０１を開けて入室して行われる。
【００２０】
例えば、列盤Ｄは、計測装置表示手段を搭載しない計測装置３０を有する計測ユニット４０が例えば計測ユニット４０ａから計測ユニット４０ｆの６段配置してユニット化されて1つの盤となり、そして、これらの盤が例えば盤Ｄ１から盤Ｄ５の５列で並んで一つの列盤Ｄが構成されている。その他の列盤Ａから列盤Ｃ、列盤Ｅから列盤Ｍも例えば同様に、計測装置表示手段を搭載しない計測装置３０を有する計測ユニット４０が例えば６段配置してユニット化されて1つの盤となり、そして、これらの盤が例えば５列で並んで一つの列盤がそれぞれ構成されている。なお、計測装置３０には、計測装置表示手段を搭載していないが、計測装置制御手段は搭載している場合を示している。
【００２１】
電気室２００にこれら列盤Ａから列盤Ｍが複数配列されたコントロールセンタ１００において、各計測ユニット４０のいずれか一つに設けられ、各計測ユニット４０の計測装置表示手段を搭載しない各計測装置３０のそれぞれと有線回線網５１によって回線接続され、各計測ユニット４０のそれぞれの運転状態を表示する表示手段５２と各計測ユニット４０のそれぞれに制御指令を実行する制御手段５３とを有する表示制御手段５０とを備えている。
【００２２】
表示制御手段５０は、コントロールセンタ１００内の列盤Ａから列盤Ｍの内、例えば列盤Ｄにおける各計測ユニット４０のいずれか一つに設けられた場合を示している。すなわち、列盤Ｄの盤Ｄ５の最上段の計測ユニット４０に表示制御手段５０を設けた場合を示している。
【００２３】
この実施の形態１においては、表示制御手段５０がコントロールセンタ１００内の列盤Ａから列盤Ｍの各計測ユニット４０と有線回線網５１によって回線接続された場合を示している。
【００２４】
保守員は毎日、コントロールセンタ１００内の列盤Ａから列盤Ｍの各計測ユニット４０に配置された計測装置表示手段を搭載しない各計測装置３０の計測値や運転状態などに異常がないことを確認する必要がある。
【００２５】
計測装置表示手段を搭載しない各計測装置３０の計測値や運転状態は、例えば、列盤Ｄの盤Ｄ５の最上段の計測ユニット４０に配置された表示制御手段５０により確認することができる。表示制御手段５０は図５〜図７に示すような画面構成を有している。表示制御手段５０は各計測ユニット４０のそれぞれの運転状態を表示する表示手段５２と各計測ユニット４０のそれぞれに制御指令を実行する制御手段５３とを有しており、図５に示すように、表示制御手段５０の表示手段５２によりコントロールセンタ１００の列盤Ａから列盤Ｚの配列を表示する。
【００２６】
そして、表示制御手段５０の表示手段５２により列盤Ｄの盤Ｄ１の計測ユニット４０に配置された計測装置表示手段を搭載しない計測装置３０の計測値や運転状態に異常が発生していることを保守員が確認した場合、表示制御手段５０の制御手段５３を操作して、図６に示すように、列盤Ｄの盤Ｄ１の上から２段目の計測ユニット４０ｂに異常が発生していることを確認することができる。
【００２７】
列盤Ｄの盤Ｄ１の上から２段目の計測ユニット４０ｂに異常が発生していることを確認した後、表示制御手段５０の制御手段５３を操作して、図７に示すように、計測ユニット４０ｂの計測装置表示手段および計測装置制御手段と同様の計測装置表示制御部２０の画面を表示制御手段５０の表示手段５２に表示する。すなわち、表示制御手段５０の表示手段５２に計測装置表示手段を表示するようにしたので、各計測ユニット４０の各計測装置３０に計測装置表示手段を搭載しないようにした。各計測ユニット４０の各計測装置３０に計測装置表示手段を搭載しないことにより、大幅なコスト低減を図ることができる。
【００２８】
表示制御手段５０の表示手段５２に表示した計測装置表示制御部２０の計測装置表示部２１および計測装置操作部２２の一例について図７に基づいて説明する。計測装置表示制御部２０の計測装置表示部２１は種々数値を表示する液晶ディスプレイ２３と、ＬＥＤ表示灯２４ａからＬＥＤ表示灯２４ｄが設けられている。例えば、ＬＥＤ表示灯２４ａはＯＮ、ＬＥＤ表示灯２４ｂはＯＦＦ、ＬＥＤ表示灯２４ｃはＦＡＵＬＴ、ＬＥＤ表示灯２４ｄはＥＲＲＯＲをそれぞれ表示するようになっている。
【００２９】
また、計測装置表示制御部２０の計測装置操作部２２は、例えば、直接制御用ボタン部２５ａ、遠方制御用ボタン２５ｂ、停止ボタン２５ｃ、逆転ボタン２５ｄ、正転ボタン２５ｅ、ＭＯＤＥボタン２６ａ、ＳＥＴボタン２６ｂ、アップボタン２６ｃ、ダウンボタン２６ｄ、ＣＬＥＡＲ／ＢＡＣＫボタン２６ｅ、ＲＥＳＥＴボタン２６ｆ、外部機器接続端子２６ｇが設けられている。
【００３０】
したがって、例えば、ＬＥＤ表示灯２４ｄが点灯してＥＲＲＯＲを表示している場合は、液晶ディスプレイ２３に表示されているエラー数値が正常値になるように、計測装置表示制御部２０の計測装置操作部２２に設けられた、直接制御用ボタン部２５ａ、遠方制御用ボタン２５ｂ、停止ボタン２５ｃ、逆転ボタン２５ｄ、正転ボタン２５ｅ、ＭＯＤＥボタン２６ａ、ＳＥＴボタン２６ｂ、アップボタン２６ｃ、ダウンボタン２６ｄ、ＣＬＥＡＲ／ＢＡＣＫボタン２６ｅ、ＲＥＳＥＴボタン２６ｆ、外部機器接続端子２６ｇなどを操作して、点検、保守を行うことができる。
【００３１】
このように、この実施の形態１における表示制御システムによれば、複数配列された計測ユニット４０のそれぞれの計測装置３０に計測装置表示手段を搭載しない構成とし、計測ユニット４０のいずれか一つに各計測ユニット４０のそれぞれと回線接続された表示制御手段５０を備えたことにより、大幅なコスト低減を図ることができる表示制御システムを得ることができる。また、表示制御手段５０により対象となる計測ユニット４０の計測装置３０を検索することができるようにしたので、コントロールセンタ１００内の列盤Ａから列盤Ｍの巡回しながら点検、保守を行うことなく、対象となる計測ユニット４０の計測装置３０の点検、保守を行うことができ、保守員の日常の点検作業に要する時間を大幅に低減することができる。
【００３２】
ところで、表示制御手段５０により対象となる計測ユニット４０の計測装置３０を検索し、表示制御手段５０の制御手段５３により操作して対象となる計測ユニット４０の計測装置３０の点検、保守を行うようにしたが、これに限定されるものではなく、表示制御手段５０により対象となる計測ユニット４０の計測装置３０を検索した後、その対象となる計測ユニット４０の計測装置３０の前に行き、その計測装置３０の計測装置表示制御手段を操作して対象となる計測ユニット４０の計測装置３０の点検、保守を行うようにしてもよい。
【００３３】
また、表示制御手段５０は、コントロールセンタ１００内の列盤Ａから列盤Ｍの内、例えば列盤Ｄにおける各計測ユニット４０のいずれか一つに設けられた場合について述べたが、これに限定されるものではなく、各列盤にそれぞれ表示制御手段５０を設けるようにしてもよく、上述した実施の形態１と同様の効果を奏する。
【００３４】
実施の形態２．
この発明の実施の形態２を図８および図９に基づいて説明するが、各図において、同一、または相当部材、部位については同一符号を付して説明する。図８はこの発明の実施の形態２に係わる表示制御システムにおける回線状態を示す要部正面図である。図９はこの発明の実施の形態２に係わる表示制御システムにおける回線状態を示す斜視図である。
【００３５】
上述した実施の形態１においては、各計測ユニット４０の各計測装置３０に計測装置表示手段を搭載していないが、計測装置制御手段は搭載している場合について述べたが、この実施の形態２においては、各計測ユニット４０の各計測装置３１に計測装置表示手段および計測装置制御手段を搭載しない構成としている。
【００３６】
表示制御手段５０の表示手段５２により列盤Ｄの盤Ｄ１の計測ユニット４０に配置された計測装置表示手段および計測装置制御手段を搭載しない計測装置３１の計測値や運転状態に異常が発生していることを保守員が確認した場合、表示制御手段５０の制御手段５３を操作して、上述した実施の形態１と同様に対象となる計測ユニット４０の計測装置３１の点検、保守を行うことができ、保守員の日常の点検作業に要する時間を大幅に低減することができる。
【００３７】
この実施の形態２によれば、各計測ユニット４０の各計測装置３１に計測装置表示手段および計測装置制御手段を搭載しない構成としたので、上述した実施の形態１よりもさらにコスト低減を図ることができる。 
【００３８】
実施の形態３．
この発明の実施の形態３を図１０から図１４に基づいて説明するが、各図において、同一、または相当部材、部位については同一符号を付して説明する。図１０はこの発明の実施の形態３に係わる表示制御システムにおける回線状態を示す要部正面図である。図１１はこの発明の実施の形態３に係わる表示制御システムにおける回線状態を示す斜視図である。図１２はこの発明の実施の形態３に係わる表示制御システムにおける監視制御手段を示す正面図である。図１３はこの発明の実施の形態３に係わる表示制御システムにおける監視制御手段を示す正面図である。図１４はこの発明の実施の形態３に係わる表示制御システムにおける監視制御手段を示す正面図である。
【００３９】
電気室２００にこれら列盤Ａから列盤Ｍが複数配列されたコントロールセンタ１００において、各計測ユニット４０のいずれか一つに設けられ、各計測ユニット４０の計測装置表示手段および計測装置制御手段を搭載しない各計測装置３１のそれぞれと有線回線網５１によって回線接続され、各計測ユニット４０のそれぞれの運転状態を収集、制御指令を実行する表示制御手段６０を備えている。
【００４０】
表示制御手段６０には無線通信手段６１が搭載されている。表示制御手段６０は、コントロールセンタ１００内の列盤Ａから列盤Ｍの内、例えば列盤Ｄにおける各計測ユニット４０のいずれか一つに設けられた場合を示している。すなわち、列盤Ｄの盤Ｄ５の最上段の計測ユニット４０に表示制御手段６０を設けた場合を示している。
【００４１】
この実施の形態３においては、表示制御手段６０がコントロールセンタ１００内の列盤Ａから列盤Ｍの各計測ユニット４０と有線回線網５１によって回線接続された場合を示している。
【００４２】
表示制御手段６０に搭載された無線通信手段６１と点線矢印で示すように無線通信され、端末表示部７１と端末操作部７２を有し、各計測ユニット４０のそれぞれの運転状態の確認、制御指令を実行する監視制御手段７０を備えている。この監視制御手段７０は例えば無線通信手段６１と無線通信できる範囲内のコントロールセンタ１００近傍の管理室に配置される。
【００４３】
保守員は毎日、コントロールセンタ１００内の列盤Ａから列盤Ｍの各計測ユニット４０に配置された計測装置表示手段および計測装置制御手段を搭載しない各計測装置３１の計測値や運転状態などに異常がないことを確認する必要がある。
【００４４】
計測装置表示手段および計測装置制御手段を搭載しない各計測装置３１の計測値や運転状態は、例えば、列盤Ｄの盤Ｄ５の最上段の計測ユニット４０に配置された表示制御手段６０に搭載された無線通信手段６１と監視制御手段７０との間で点線矢印にて示すように無線通信して確認する。
【００４５】
監視制御手段７０は図１２〜図１４に示すような画面構成を有している。監視制御手段７０は各計測ユニット４０のそれぞれの運転状態を表示する端末表示部７１と各計測ユニット４０のそれぞれに制御指令を実行する端末操作部７２とを有しており、図１２に示すように、監視制御手段７０の端末表示部７１によりコントロールセンタ１００の列盤Ａから列盤Ｚの配列を表示する。
【００４６】
そして、監視制御手段７０の端末表示部７１により列盤Ｄの盤Ｄ１の計測ユニット４０に配置された計測装置表示手段および計測装置制御手段を搭載しない計測装置３１の計測値や運転状態に異常が発生していることを保守員が確認した場合、監視制御手段７０の端末操作部７２を操作して、図１３に示すように、列盤Ｄの盤Ｄ１の上から２段目の計測ユニット４０ｂに異常が発生していることを確認することができる。
【００４７】
列盤Ｄの盤Ｄ１の上から２段目の計測ユニット４０ｂに異常が発生していることを確認した後、監視制御手段７０の端末操作部７２を操作して、図１４に示すように、計測ユニット４０ｂの計測装置表示手段および計測装置制御手段と同様の計測装置表示制御部２０の画面を監視制御手段７０の端末表示部７１に表示する。すなわち、監視制御手段７０の端末表示部７１に計測装置表示手段および計測装置制御手段を表示するようにしたので、各計測ユニット４０の各計測装置３１に計測装置表示手段および計測装置制御手段を搭載しないようにした。各計測ユニット４０の各計測装置３１に計測装置表示手段および計測装置制御手段を搭載しないことにより、大幅なコスト低減を図ることができる。
【００４８】
監視制御手段７０の端末表示部７１に表示した計測装置表示制御部２０の計測装置表示部２１および計測装置操作部２２の一例について図１４に基づいて説明する。計測装置表示制御部２０の計測装置表示部２１は種々数値を表示する液晶ディスプレイ２３と、ＬＥＤ表示灯２４ａからＬＥＤ表示灯２４ｄが設けられている。例えば、ＬＥＤ表示灯２４ａはＯＮ、ＬＥＤ表示灯２４ｂはＯＦＦ、ＬＥＤ表示灯２４ｃはＦＡＵＬＴ、ＬＥＤ表示灯２４ｄはＥＲＲＯＲをそれぞれ表示するようになっている。
【００４９】
また、計測装置表示制御部２０の計測装置操作部２２は、例えば、直接制御用ボタン部２５ａ、遠方制御用ボタン２５ｂ、停止ボタン２５ｃ、逆転ボタン２５ｄ、正転ボタン２５ｅ、ＭＯＤＥボタン２６ａ、ＳＥＴボタン２６ｂ、アップボタン２６ｃ、ダウンボタン２６ｄ、ＣＬＥＡＲ／ＢＡＣＫボタン２６ｅ、ＲＥＳＥＴボタン２６ｆ、外部機器接続端子２６ｇが設けられている。
【００５０】
したがって、例えば、ＬＥＤ表示灯２４ｄが点灯してＥＲＲＯＲを表示している場合は、液晶ディスプレイ２３に表示されているエラー数値が正常値になるように、計測装置表示制御部２０の計測装置操作部２２に設けられた、直接制御用ボタン部２５ａ、遠方制御用ボタン２５ｂ、停止ボタン２５ｃ、逆転ボタン２５ｄ、正転ボタン２５ｅ、ＭＯＤＥボタン２６ａ、ＳＥＴボタン２６ｂ、アップボタン２６ｃ、ダウンボタン２６ｄ、ＣＬＥＡＲ／ＢＡＣＫボタン２６ｅ、ＲＥＳＥＴボタン２６ｆ、外部機器接続端子２６ｇなどを操作して、点検、保守を行うことができる。
【００５１】
このように、この実施の形態３における表示制御システムによれば、複数配列された計測ユニット４０のそれぞれの計測装置３１に計測装置表示手段および計測装置制御手段を搭載しない構成とし、計測ユニット４０のいずれか一つに各計測ユニット４０のそれぞれと回線接続された表示制御手段６０と、表示制御手段６０に無線通信手段６１を搭載し、この無線通信手段６１と点線矢印で示すように無線通信され、端末表示部７１と端末操作部７２を有し、各計測ユニット４０のそれぞれの運転状態の確認、制御指令を実行する監視制御手段７０とを備えたことにより、大幅なコスト低減を図ることができる表示制御システムを得ることができる。また、監視制御手段７０により対象となる計測ユニット４０の計測装置３１を検索することができるようにしたので、コントロールセンタ１００内の列盤Ａから列盤Ｍの巡回しながら点検、保守を行うことなく、対象となる計測ユニット４０の計測装置３１の点検、保守を行うことができ、保守員の日常の点検作業に要する時間を大幅に低減することができる。
【００５２】
また、表示制御手段６０は、コントロールセンタ１００内の列盤Ａから列盤Ｍの内、例えば列盤Ｄにおける各計測ユニット４０のいずれか一つに設けられた場合について述べたが、これに限定されるものではなく、各列盤にそれぞれ表示制御手段６０を設けるようにしてもよく、上述した実施の形態３と同様の効果を奏する。
【００５３】
実施の形態４．
この発明の実施の形態４を図１５および図１６に基づいて説明するが、各図において、同一、または相当部材、部位については同一符号を付して説明する。図１５はこの発明の実施の形態４に係わる表示制御システムにおける回線状態を示す要部正面図である。図１６はこの発明の実施の形態４に係わる表示制御システムにおける回線状態を示す斜視図である。
【００５４】
この発明の実施の形態４においては、上述した実施の形態３の表示制御手段６０として、プログラマブルロジックコントローラ（Ｐｒｏｇｒａｍａｂｌｅ  Ｌｏｇｉｃ  Ｃｏｎｔｒｏｌｌｅｒ）からなる表示制御手段６５として構成している。プログラマブルロジックコントローラからなる表示制御手段６５には無線通信手段６６が搭載されている。
【００５５】
プログラマブルロジックコントローラからなる表示制御手段６５は、コントロールセンタ１００内の列盤Ａから列盤Ｍの内、例えば列盤Ｄにおける各計測ユニット４０のいずれか一つに設けられた場合を示している。すなわち、列盤Ｄの盤Ｄ５の最上段の計測ユニット４０に表示制御手段６５を設けた場合を示している。
【００５６】
この実施の形態４においては、プログラマブルロジックコントローラからなる表示制御手段６５がコントロールセンタ１００内の列盤Ａから列盤Ｍの各計測ユニット４０と有線回線網５１によって回線接続された場合を示している。
【００５７】
表示制御手段６５に搭載された無線通信手段６６と点線矢印で示すように無線通信され、端末表示部７１と端末操作部７２を有し、各計測ユニット４０のそれぞれの運転状態の確認、制御指令を実行する監視制御手段７０を備えている。この監視制御手段７０は例えば無線通信手段６６と無線通信できる範囲内のコントロールセンタ１００近傍の管理室に配置される。
【００５８】
保守員は毎日、コントロールセンタ１００内の列盤Ａから列盤Ｍの各計測ユニット４０に配置された計測装置表示手段および計測装置制御手段を搭載しない各計測装置３１の計測値や運転状態などに異常がないことを確認する必要がある。
【００５９】
計測装置表示手段および計測装置制御手段を搭載しない各計測装置３１の計測値や運転状態は、例えば、列盤Ｄの盤Ｄ５の最上段の計測ユニット４０に配置されたプログラマブルロジックコントローラからなる表示制御手段６５に搭載された無線通信手段６６と監視制御手段７０との間で点線矢印にて示すように無線通信して確認する。
【００６０】
このように、この実施の形態４における表示制御システムによれば、複数配列された計測ユニット４０のそれぞれの計測装置３１に計測装置表示手段および計測装置制御手段を搭載しない構成とし、計測ユニット４０のいずれか一つに各計測ユニット４０のそれぞれと回線接続されたプログラマブルロジックコントローラからなる表示制御手段６５と、表示制御手段６５に無線通信手段６６を搭載し、この無線通信手段６６と点線矢印で示すように無線通信され、端末表示部７１と端末操作部７２を有し、各計測ユニット４０のそれぞれの運転状態の確認、制御指令を実行する監視制御手段７０とを備えたことにより、大幅なコスト低減を図ることができる表示制御システムを得ることができる。また、監視制御手段７０により対象となる計測ユニット４０の計測装置３１を検索することができるようにしたので、コントロールセンタ１００内の列盤Ａから列盤Ｍの巡回しながら点検、保守を行うことなく、対象となる計測ユニット４０の計測装置３１の点検、保守を行うことができ、保守員の日常の点検作業に要する時間を大幅に低減することができる。
【００６１】
また、表示制御手段６０は、コントロールセンタ１００内の列盤Ａから列盤Ｍの内、例えば列盤Ｄにおける各計測ユニット４０のいずれか一つに設けられた場合について述べたが、これに限定されるものではなく、各列盤にそれぞれ表示制御手段６５を設けるようにしてもよく、上述した実施の形態４と同様の効果を奏する。
【００６２】
実施の形態５．
この発明の実施の形態５を図１７および図１８に基づいて説明するが、各図において、同一、または相当部材、部位については同一符号を付して説明する。図１７はこの発明の実施の形態５に係わる表示制御システムにおける回線状態を示す要部正面図である。図１８はこの発明の実施の形態５に係わる表示制御システムにおける回線状態を示す斜視図である。
【００６３】
上述した実施の形態３においては、複数配列された計測ユニット４０のそれぞれの計測装置３１に計測装置表示手段および計測装置制御手段を搭載しない構成とした場合について述べたが、この実施の形態５においては、複数配列された計測ユニット４０のそれぞれの計測装置３０が計測装置表示手段を搭載していないが、計測装置制御手段は搭載している場合を示している。
【００６４】
この実施の形態５においては、複数配列された計測ユニット４０のそれぞれの計測装置３０が計測装置表示手段を搭載していないが、計測装置制御手段は搭載しているので、監視制御手段７０により、点検、保守を行う対象となる計測ユニット４０の計測装置３０を検索した場合、コントロールセンタ１００内あるいはコントロールセンタ１００近傍に保守員がいた場合にはその保守員に連絡し、保守員が点検、保守を行う対象となる計測ユニット４０の計測装置３０の前に行き、その計測装置３０の計測装置表示制御手段を操作して対象となる計測ユニット４０の計測装置３０の点検、保守を直接行うことができるようにしている。
【００６５】
実施の形態６．
この発明の実施の形態６を図１９および図２０に基づいて説明するが、各図において、同一、または相当部材、部位については同一符号を付して説明する。図１９はこの発明の実施の形態６に係わる表示制御システムにおける回線状態を示す要部正面図である。図２０はこの発明の実施の形態６に係わる表示制御システムにおける回線状態を示す斜視図である。
【００６６】
上述した実施の形態４においては、複数配列された計測ユニット４０のそれぞれの計測装置３１に計測装置表示手段および計測装置制御手段を搭載しない構成とした場合について述べたが、この実施の形態６においては、複数配列された計測ユニット４０のそれぞれの計測装置３０が計測装置表示手段を搭載していないが、計測装置制御手段は搭載している場合を示している。
【００６７】
この実施の形態６においては、複数配列された計測ユニット４０のそれぞれの計測装置３０が計測装置表示手段を搭載していないが、計測装置制御手段は搭載しているので、監視制御手段７０により、点検、保守を行う対象となる計測ユニット４０の計測装置３０を検索した場合、コントロールセンタ１００内あるいはコントロールセンタ１００近傍に保守員がいた場合にはその保守員に連絡し、保守員が点検、保守を行う対象となる計測ユニット４０の計測装置３０の前に行き、その計測装置３０の計測装置表示制御手段を操作して対象となる計測ユニット４０の計測装置３０の点検、保守を直接行うことができるようにしている。
【００６８】
実施の形態７．
この発明の実施の形態７を図２１および図２２に基づいて説明するが、各図において、同一、または相当部材、部位については同一符号を付して説明する。図２１はこの発明の実施の形態７に係わる表示制御システムにおける回線状態を示す要部正面図である。図２２はこの発明の実施の形態７に係わる表示制御システムにおける回線状態を示す斜視図である。
【００６９】
この実施の形態７においては、複数配列され、計測装置表示手段および計測装置制御手段を搭載しない計測装置３１を有する計測ユニット４０と、各計測ユニット４０の各計測装置３１にそれぞれ設けられた無線通信手段８０と、無線通信手段８０と無線通信され、端末表示部７１と端末操作部７２を有し、各計測ユニット４０のそれぞれの運転状態の確認、制御指令を実行する監視制御手段７０を備えたものである。
【００７０】
計測装置表示手段および計測装置制御手段を搭載しない各計測装置３１の計測値や運転状態は、各計測ユニット４０の各計測装置３１に搭載された無線通信手段６１と監視制御手段７０との間で点線矢印にて示すように無線通信して確認する。
【００７１】
そして、監視制御手段７０の端末表示部７１により列盤Ｄの盤Ｄ１の計測ユニット４０に配置された計測装置表示手段および計測装置制御手段を搭載しない計測装置３１の計測値や運転状態に異常が発生していることを保守員が確認した場合、監視制御手段７０の端末操作部７２を操作して、図１３に示すように、列盤Ｄの盤Ｄ１の上から２段目の計測ユニット４０ｂに異常が発生していることを確認することができる。
【００７２】
列盤Ｄの盤Ｄ１の上から２段目の計測ユニット４０ｂに異常が発生していることを確認した後、監視制御手段７０の端末操作部７２を操作して、図１４に示すように、計測ユニット４０ｂの計測装置表示手段および計測装置制御手段と同様の計測装置表示制御部２０の画面を監視制御手段７０の端末表示部７１に表示する。すなわち、監視制御手段７０の端末表示部７１に計測装置表示手段および計測装置制御手段を表示するようにしたので、各計測ユニット４０の各計測装置３１に計測装置表示手段および計測装置制御手段を搭載しないようにした。各計測ユニット４０の各計測装置３１に計測装置表示手段および計測装置制御手段を搭載しないことにより、大幅なコスト低減を図ることができる。
【００７３】
このように、この実施の形態７における表示制御システムによれば、複数配列された計測ユニット４０のそれぞれの計測装置３１に計測装置表示手段および計測装置制御手段を搭載しない構成とし、各計測ユニット４０の計測装置３１に無線通信手段８０を搭載し、この無線通信手段８０と点線矢印で示すように無線通信され、端末表示部７１と端末操作部７２を有し、各計測ユニット４０のそれぞれの運転状態の確認、制御指令を実行する監視制御手段７０とを備えたことにより、大幅なコスト低減を図ることができる表示制御システムを得ることができる。また、監視制御手段７０により対象となる計測ユニット４０の計測装置３１を検索することができるようにしたので、コントロールセンタ１００内の列盤Ａから列盤Ｍの巡回しながら点検、保守を行うことなく、対象となる計測ユニット４０の計測装置３１の点検、保守を行うことができ、保守員の日常の点検作業に要する時間を大幅に低減することができる。
【００７４】
実施の形態８．
この発明の実施の形態８を図２３および図２４に基づいて説明するが、各図において、同一、または相当部材、部位については同一符号を付して説明する。図２３はこの発明の実施の形態８に係わる表示制御システムにおける回線状態を示す要部正面図である。図２４はこの発明の実施の形態８に係わる表示制御システムにおける回線状態を示す斜視図である。
【００７５】
上述した実施の形態７においては、複数配列された計測ユニット４０のそれぞれの計測装置３１に計測装置表示手段および計測装置制御手段を搭載しない構成とした場合について述べたが、この実施の形態８においては、複数配列された計測ユニット４０のそれぞれの計測装置３０が計測装置表示手段を搭載していないが、計測装置制御手段は搭載している場合を示している。
【００７６】
この実施の形態８においては、複数配列された計測ユニット４０のそれぞれの計測装置３０が計測装置表示手段を搭載していないが、計測装置制御手段は搭載しているので、監視制御手段７０により、点検、保守を行う対象となる計測ユニット４０の計測装置３０を検索した場合、コントロールセンタ１００内あるいはコントロールセンタ１００近傍に保守員がいた場合にはその保守員に連絡し、保守員が点検、保守を行う対象となる計測ユニット４０の計測装置３０の前に行き、その計測装置３０の計測装置表示制御手段を操作して対象となる計測ユニット４０の計測装置３０の点検、保守を直接行うことができるようにしている。
【００７７】
実施の形態９．
この発明の実施の形態９を図２５および図２６に基づいて説明するが、各図において、同一、または相当部材、部位については同一符号を付して説明する。図２５はこの発明の実施の形態９に係わる表示制御システムにおける回線状態を示す要部正面図である。図２６はこの発明の実施の形態９に係わる表示制御システムにおける回線状態を示す斜視図である。
【００７８】
電気室２００にこれら列盤Ａから列盤Ｍが複数配列されたコントロールセンタ１００において、各計測ユニット４０のいずれか一つに設けられ、各計測ユニット４０の計測装置表示手段および計測装置制御手段を搭載しない各計測装置３１のそれぞれと有線回線網５１によって回線接続され、各計測ユニット４０のそれぞれの運転状態を収集、制御指令を実行する表示制御手段９０を備えている。
【００７９】
表示制御手段９０には有線通信手段９１が搭載されている。表示制御手段９０は、コントロールセンタ１００内の列盤Ａから列盤Ｍの内、例えば列盤Ｄにおける各計測ユニット４０のいずれか一つに設けられた場合を示している。すなわち、列盤Ｄの盤Ｄ５の最上段の計測ユニット４０に表示制御手段９０を設けた場合を示している。
【００８０】
この実施の形態９においては、表示制御手段９０がコントロールセンタ１００内の列盤Ａから列盤Ｍの各計測ユニット４０と有線回線網５１によって回線接続された場合を示している。
【００８１】
表示制御手段９０に搭載された有線通信手段９１は実線矢印で示すようにネットワーク回線９２と有線通信される。そして、ネットワーク回線９２と点線矢印で示すように無線通信され、端末表示部７１と端末操作部７２を有し、各計測ユニット４０のそれぞれの運転状態の確認、制御指令を実行する監視制御手段７０を備えている。この監視制御手段７０は例えばネットワーク回線９２と無線通信できればよいので、上述した実施の形態３のようなコントロールセンタ１００近傍の管理室に配置されていなくてよく、コントロールセンタ１００より遠隔の場所に配置することができ、遠隔操作が可能となる。
【００８２】
保守員は毎日、コントロールセンタ１００内の列盤Ａから列盤Ｍの各計測ユニット４０に配置された計測装置表示手段および計測装置制御手段を搭載しない各計測装置３１の計測値や運転状態などに異常がないことを確認する必要がある。
【００８３】
計測装置表示手段および計測装置制御手段を搭載しない各計測装置３１の計測値や運転状態は、例えば、列盤Ｄの盤Ｄ５の最上段の計測ユニット４０に配置された表示制御手段９０に搭載された有線通信手段９１とネットワーク回線９２と有線通信され、ネットワーク回線９２と監視制御手段７０との間で点線矢印にて示すように無線通信して確認する。
【００８４】
このように、この実施の形態９における表示制御システムによれば、複数配列された計測ユニット４０のそれぞれの計測装置３１に計測装置表示手段および計測装置制御手段を搭載しない構成とし、計測ユニット４０のいずれか一つに各計測ユニット４０のそれぞれと回線接続された表示制御手段９０と、表示制御手段９０に有線通信手段９１を搭載し、この有線通信手段９１と実線矢印で示すようにネットワーク回線９２と有線通信され、ネットワーク回線９２と点線矢印で示すように無線通信され、端末表示部７１と端末操作部７２を有し、各計測ユニット４０のそれぞれの運転状態の確認、制御指令を実行する監視制御手段７０とを備えたことにより、大幅なコスト低減を図ることができる表示制御システムを得ることができる。また、監視制御手段７０により対象となる計測ユニット４０の計測装置３１を検索することができるようにしたので、コントロールセンタ１００内の列盤Ａから列盤Ｍの巡回しながら点検、保守を行うことなく、対象となる計測ユニット４０の計測装置３１の点検、保守を行うことができ、保守員の日常の点検作業に要する時間を大幅に低減することができる。
【００８５】
また、表示制御手段９０は、コントロールセンタ１００内の列盤Ａから列盤Ｍの内、例えば列盤Ｄにおける各計測ユニット４０のいずれか一つに設けられた場合について述べたが、これに限定されるものではなく、各列盤にそれぞれ表示制御手段９０を設けるようにしてもよく、上述した実施の形態９と同様の効果を奏する。
【００８６】
実施の形態１０．
この発明の実施の形態１０を図２７および図２８に基づいて説明するが、各図において、同一、または相当部材、部位については同一符号を付して説明する。図２７はこの発明の実施の形態１０に係わる表示制御システムにおける回線状態を示す要部正面図である。図２８はこの発明の実施の形態１０に係わる表示制御システムにおける回線状態を示す斜視図である。
【００８７】
上述した実施の形態９においては、複数配列された計測ユニット４０のそれぞれの計測装置３１に計測装置表示手段および計測装置制御手段を搭載しない構成とした場合について述べたが、この実施の形態１０においては、複数配列された計測ユニット４０のそれぞれの計測装置３０が計測装置表示手段を搭載していないが、計測装置制御手段は搭載している場合を示している。
【００８８】
この実施の形態１０においては、複数配列された計測ユニット４０のそれぞれの計測装置３０が計測装置表示手段を搭載していないが、計測装置制御手段は搭載しているので、監視制御手段７０により、点検、保守を行う対象となる計測ユニット４０の計測装置３０を検索した場合、コントロールセンタ１００内あるいはコントロールセンタ１００近傍に保守員がいた場合にはその保守員に連絡し、保守員が点検、保守を行う対象となる計測ユニット４０の計測装置３０の前に行き、その計測装置３０の計測装置表示制御手段を操作して対象となる計測ユニット４０の計測装置３０の点検、保守を直接行うことができるようにしている。
【００８９】
実施の形態１１．
この発明の実施の形態１１を図２９および図３０に基づいて説明するが、各図において、同一、または相当部材、部位については同一符号を付して説明する。図２９はこの発明の実施の形態１１に係わる表示制御システムにおける回線状態を示す要部正面図である。
図３０はこの発明の実施の形態１１に係わる表示制御システムにおける回線状態を示す斜視図である。
【００９０】
この発明の実施の形態１１においては、上述した実施の形態９の表示制御手段９０として、プログラマブルロジックコントローラ（Ｐｒｏｇｒａｍａｂｌｅ  Ｌｏｇｉｃ  Ｃｏｎｔｒｏｌｌｅｒ）からなる表示制御手段９５として構成している。プログラマブルロジックコントローラからなる表示制御手段９５には有線通信手段９６が搭載されている。
【００９１】
プログラマブルロジックコントローラからなる表示制御手段９５は、コントロールセンタ１００内の列盤Ａから列盤Ｍの内、例えば列盤Ｄにおける各計測ユニット４０のいずれか一つに設けられた場合を示している。すなわち、列盤Ｄの盤Ｄ５の最上段の計測ユニット４０に表示制御手段９５を設けた場合を示している。
【００９２】
この実施の形態１１においては、プログラマブルロジックコントローラからなる表示制御手段９５がコントロールセンタ１００内の列盤Ａから列盤Ｍの各計測ユニット４０と有線回線網５１によって回線接続された場合を示している。
【００９３】
プログラマブルロジックコントローラからなる表示制御手段９５に搭載された有線通信手段９６は実線矢印で示すようにネットワーク回線９２と有線通信される。そして、ネットワーク回線９２と点線矢印で示すように無線通信され、端末表示部７１と端末操作部７２を有し、各計測ユニット４０のそれぞれの運転状態の確認、制御指令を実行する監視制御手段７０を備えている。この監視制御手段７０は例えばネットワーク回線９２と無線通信できればよいので、上述した実施の形態３のようなコントロールセンタ１００近傍の管理室に配置されていなくてよく、コントロールセンタ１００より遠隔の場所に配置することができ、遠隔操作が可能となる。
【００９４】
保守員は毎日、コントロールセンタ１００内の列盤Ａから列盤Ｍの各計測ユニット４０に配置された計測装置表示手段および計測装置制御手段を搭載しない各計測装置３１の計測値や運転状態などに異常がないことを確認する必要がある。
【００９５】
計測装置表示手段および計測装置制御手段を搭載しない各計測装置３１の計測値や運転状態は、例えば、列盤Ｄの盤Ｄ５の最上段の計測ユニット４０に配置されたプログラマブルロジックコントローラからなる表示制御手段９５に搭載された有線通信手段９６とネットワーク回線９２と有線通信され、ネットワーク回線９２と監視制御手段７０との間で点線矢印にて示すように無線通信して確認する。
【００９６】
このように、この実施の形態１１における表示制御システムによれば、複数配列された計測ユニット４０のそれぞれの計測装置３１に計測装置表示手段および計測装置制御手段を搭載しない構成とし、計測ユニット４０のいずれか一つに各計測ユニット４０のそれぞれと回線接続されたプログラマブルロジックコントローラからなる表示制御手段９５と、プログラマブルロジックコントローラからなる表示制御手段９５に有線通信手段９６を搭載し、この有線通信手段９６と実線矢印で示すようにネットワーク回線９２と有線通信され、ネットワーク回線９２と点線矢印で示すように無線通信され、端末表示部７１と端末操作部７２を有し、各計測ユニット４０のそれぞれの運転状態の確認、制御指令を実行する監視制御手段７０とを備えたことにより、大幅なコスト低減を図ることができる表示制御システムを得ることができる。また、監視制御手段７０により対象となる計測ユニット４０の計測装置３１を検索することができるようにしたので、コントロールセンタ１００内の列盤Ａから列盤Ｍの巡回しながら点検、保守を行うことなく、対象となる計測ユニット４０の計測装置３１の点検、保守を行うことができ、保守員の日常の点検作業に要する時間を大幅に低減することができる。
【００９７】
また、プログラマブルロジックコントローラからなる表示制御手段９５は、コントロールセンタ１００内の列盤Ａから列盤Ｍの内、例えば列盤Ｄにおける各計測ユニット４０のいずれか一つに設けられた場合について述べたが、これに限定されるものではなく、各列盤にそれぞれプログラマブルロジックコントローラからなる表示制御手段９５を設けるようにしてもよく、上述した実施の形態１１と同様の効果を奏する。
【００９８】
実施の形態１２．
この発明の実施の形態１２を図３１および図３２に基づいて説明するが、各図において、同一、または相当部材、部位については同一符号を付して説明する。図３１はこの発明の実施の形態１２に係わる表示制御システムにおける回線状態を示す要部正面図である。図３２はこの発明の実施の形態１２に係わる表示制御システムにおける回線状態を示す斜視図である。
【００９９】
上述した実施の形態１１においては、複数配列された計測ユニット４０のそれぞれの計測装置３１に計測装置表示手段および計測装置制御手段を搭載しない構成とした場合について述べたが、この実施の形態１２においては、複数配列された計測ユニット４０のそれぞれの計測装置３０が計測装置表示手段を搭載していないが、計測装置制御手段は搭載している場合を示している。
【０１００】
この実施の形態１２においては、複数配列された計測ユニット４０のそれぞれの計測装置３０が計測装置表示手段を搭載していないが、計測装置制御手段は搭載しているので、監視制御手段７０により、点検、保守を行う対象となる計測ユニット４０の計測装置３０を検索した場合、コントロールセンタ１００内あるいはコントロールセンタ１００近傍に保守員がいた場合にはその保守員に連絡し、保守員が点検、保守を行う対象となる計測ユニット４０の計測装置３０の前に行き、その計測装置３０の計測装置表示制御手段を操作して対象となる計測ユニット４０の計測装置３０の点検、保守を直接行うことができるようにしている。
【０１０１】
ところで、監視制御手段７０としては、例えば、タッチパネル端末あるいはタブレット端末で構成してもよく、同様の効果を奏する。
【０１０２】
なお、この発明は、その発明の範囲内において、実施の形態を自由に組み合わせたり、実施の形態を適宜、変形、省略することが可能である。また、各実施の形態の表示制御システムをコントロールセンタに適用することが可能である。
【産業上の利用可能性】
【０１０３】
この発明は、対象となる計測ユニットの計測装置の点検、保守を行うことができる表示制御システムの実現に好適である。
【符号の説明】
【０１０４】
３０  計測装置、３１  計測装置、４０  計測ユニット、５０  表示制御手段、５２  表示手段、５３  制御手段、６０  表示制御手段、６１  無線通信手段、６５  表示制御手段、６６  無線通信手段、７０  監視制御手段、７１  端末表示部、７２  端末操作部、８０  無線通信手段、９０  表示制御手段、９１  有線通信手段、９２  ネットワーク回線、９５  表示制御手段、９６  無線通信手段。
【図５】
2016012167.tif 000003
【図６】
2016012167.tif 000004
【図７】
2016012167.tif 000005
【図８】
2016012167.tif 000006
【図９】
2016012167.tif 000007
【図１０】
2016012167.tif 000008
【図１１】
2016012167.tif 000009
【図１２】
2016012167.tif 000010
【図１３】
2016012167.tif 000011
【図１４】
2016012167.tif 000012
【図１５】
2016012167.tif 000013
【図１６】
2016012167.tif 000014
【図１７】
2016012167.tif 000015
【図１８】
2016012167.tif 000016
【図１９】
2016012167.tif 000017
【図２０】
2016012167.tif 000018
【図２１】
2016012167.tif 000019
【図２２】
2016012167.tif 000020
【図２３】
2016012167.tif 000021
【図２４】
2016012167.tif 000022
【図２５】
2016012167.tif 000023
【図２６】
2016012167.tif 000024
【図２７】
2016012167.tif 000025
【図２８】
2016012167.tif 000026
【図２９】
2016012167.tif 000027
【図３０】
2016012167.tif 000028
【図３１】
2016012167.tif 000029
【図３２】
2016012167.tif 000030
【図１】
2016012167.tif 000031
【図２】
2016012167.tif 000032
【図３】
2016012167.tif 000033
【図４】
2016012167.tif 000034